(57)【要約】【課題】スループットを必要以上に低下させることなく、インクやトナーの未定着に起因する印刷物の汚れを防止する。【解決手段】インクあるいはトナーを用いて記録媒体に対する印刷処理を行うに際し、各印刷処理におけるインクあるいはトナーの使用量に基づいて今回の印刷処理終了から次回の印刷処理開始までのインターバル時間を設定し、設定されたインターバル時間に基づいて印刷処理の処理開始タイミングを制御する。【選択図】図６
2009066796.tif 000002
【特許請求の範囲】
【請求項１】
インクあるいはトナーである着色体を用いて記録媒体に対する印刷処理を行う印刷処理部と、
各印刷処理における前記着色体の使用量に基づいて今回の印刷処理終了から次回の印刷処理開始までのインターバル時間を設定するインターバル時間設定部と、
前記インターバル時間設定部により設定されたインターバル時間に基づいて前記印刷処理部を制御する印刷制御部と、
を備えたことを特徴とする印刷装置。
【請求項２】
請求項１記載の印刷装置において、
前記インターバル時間設定部は、前記着色体の単位面積あたりの使用量に応じて前記インターバル時間を設定することを特徴とする印刷装置。
【請求項３】
請求項１または請求項２記載の印刷装置において、
前記インターバル時間設定部は、前記着色体の種類に応じて前記インターバル時間を設定することを特徴とする印刷装置。
【請求項４】
請求項１ないし請求項３のいずれかに記載の印刷装置において、
前記インターバル時間設定部は、前記記録媒体の種類に基づいて前記インターバル時間を補正することを特徴とする印刷装置。
【請求項５】
請求項１ないし請求項４のいずれかに記載の印刷装置において、
前記印刷制御部は、印刷データの生成を前記インターバル時間に対応する時間だけ印刷データの生成を停止させることを特徴とする印刷装置。
【請求項６】
インクあるいはトナーである着色体を用いて記録媒体に対する印刷処理を行う印刷処理過程と、
各印刷処理における前記着色体の使用量に基づいて今回の印刷処理終了から次回の印刷処理開始までのインターバル時間を設定するインターバル時間設定過程と、
前記インターバル時間設定過程において設定されたインターバル時間に基づいて前記印刷処理の処理開始タイミングを制御する印刷制御過程と、
を備えたことを特徴とする印刷制御方法。
【請求項７】
インクあるいはトナーである着色体を用いて記録媒体に対する印刷処理を行う印刷装置をコンピュータにより制御するための制御プログラムにおいて、
各印刷処理における前記着色体の使用量に基づいて今回の印刷処理終了から次回の印刷処理開始までのインターバル時間を設定させ、
前記設定されたインターバル時間に基づいて前記印刷処理の処理開始タイミングを制御させて、前記記録媒体に対する印刷処理を行わせる、
ことを特徴とする制御プログラム。
【発明の詳細な説明】
【技術分野】
【０００１】
本発明は、印刷装置、印刷制御方法および制御プログラムに係り、特に、連続的に印刷処理が行われた場合であっても、印刷物と印刷物との間でインクやトナーなどの未定着に起因する印刷物同士の汚れを防止する技術に関する。
【背景技術】
【０００２】
従来の印刷装置においては、例えば、カットシートに印刷する場合、第ｎ枚目のカットシートに対する印刷処理が終了してから、第（ｎ＋１）枚目のカットシートに対する印刷処理を開始するまでの時間は制御していなかったため、特にインクやトナーの量が多い場合には、インクやトナーが完全に定着する前に印刷処理後のカットシートが重ねられてしまうため、印刷物が汚れてしまう問題があった。
このため、特許文献１記載の技術においては、印刷処理と印刷処理の間の時間間隔が一定の時間間隔となるように制御していた。
【特許文献１】特開平５−２７８２０９号公報
【発明の開示】
【発明が解決しようとする課題】
【０００３】
しかしながら、特許文献１記載の技術は、どのような場合でも印刷物の汚れを防止できるわけではなく、印刷データによりインクの吐出量が多い場合には、時間間隔が不足して、印刷物が汚れてしまう可能性があった。
これを防止するためには、時間間隔を大きくとればよいが、印刷のスループットが低下してしまうという新たな問題が生じる。
そこで、本発明の目的は、スループットを必要以上に低下させることなく、インクやトナーの未定着に起因する印刷物の汚れを防止することができる印刷装置、印刷制御方法および制御プログラムを提供することにある。
【課題を解決するための手段】
【０００４】
上記課題を解決するため、インクあるいはトナーである着色体を用いて記録媒体に対する印刷処理を行う印刷処理部と、各印刷処理における前記着色体の使用量に基づいて今回の印刷処理終了から次回の印刷処理開始までのインターバル時間を設定するインターバル時間設定部と、前記インターバル時間設定部により設定されたインターバル時間に基づいて前記印刷処理部を制御する印刷制御部と、を備えたことを特徴としている。
【０００５】
上記構成によれば、印刷処理部は、インクあるいはトナーである着色体を用いて記録媒体に対する印刷処理を行う。
インターバル時間設定部は、各印刷処理における前記着色体の使用量に基づいて今回の印刷処理終了から次回の印刷処理開始までのインターバル時間を設定する。
これにより、印刷制御部は、インターバル時間設定部により設定されたインターバル時間に基づいて印刷処理部を制御する。
上記構成によれば、各印刷処理における着色体の使用量に基づいて、インターバル時間が設定されて印刷処理がなされるので、スループットを必要以上に低下させることなく、インクやトナーの未定着に起因する印刷物の汚れを防止できる。
【０００６】
この場合において、前記インターバル時間設定部は、前記着色体の単位面積あたりの使用量に応じて前記インターバル時間を設定することを特徴としている。
上記構成によれば、より確実に印刷物の汚れを防止することができる。
【０００７】
また、前記インターバル時間設定部は、前記着色体の種類に応じて前記インターバル時間を設定することを特徴としている。
上記構成によれば、着色体の種類、ひいては、着色体の特性（特に乾きにくさ）を考慮して、より確実にインターバル時間を設定して、印刷物の汚れを防止することができる。
【０００８】
また、前記インターバル時間設定部は、前記記録媒体の種類に基づいて前記インターバル時間を補正することを特徴としている。
上記構成によれば、記録媒体の種類、ひいては、記録媒体の特性（特に着色体の定着特性）を考慮して、より確実にインターバル時間を設定して、印刷物の汚れを防止することができる。
【０００９】
また、前記印刷制御部は、印刷データの生成を前記インターバル時間に対応する時間だけ印刷データの生成を停止させることを特徴としている。
上記構成によれば、印刷処理間に確実にインターバル期間を設けることができ、確実に印刷物の汚れを防止することができる。
【００１０】
また、印刷制御方法は、インクあるいはトナーである着色体を用いて記録媒体に対する印刷処理を行う印刷処理過程と、各印刷処理における前記着色体の使用量に基づいて今回の印刷処理終了から次回の印刷処理開始までのインターバル時間を設定するインターバル時間設定過程と、前記インターバル時間設定過程において設定されたインターバル時間に基づいて前記印刷処理の処理開始タイミングを制御する印刷制御過程と、を備えたことを特徴としている。
上記構成によれば、各印刷処理における着色体の使用量に基づいて、インターバル時間が設定されて印刷処理がなされるので、スループットを必要以上に低下させることなく、インクやトナーの未定着に起因する印刷物の汚れを防止できる。
【００１１】
また、インクあるいはトナーである着色体を用いて記録媒体に対する印刷処理を行う印刷装置をコンピュータにより制御するための制御プログラムにおいて、各印刷処理における前記着色体の使用量に基づいて今回の印刷処理終了から次回の印刷処理開始までのインターバル時間を設定させ、前記設定されたインターバル時間に基づいて前記印刷処理の処理開始タイミングを制御させて、前記記録媒体に対する印刷処理を行わせる、ことを特徴としている。
上記構成によれば、各印刷処理における着色体の使用量に基づいて、インターバル時間が設定されて印刷処理がなされるので、スループットを必要以上に低下させることなく、インクやトナーの未定着に起因する印刷物の汚れを防止できる。
【発明の効果】
【００１２】
本発明によれば、印刷処理におけるインクやトナー等の着色体の使用量に基づいて印刷所離間のインターバル時間を設定するので、スループットを必要以上に低下させることなく、インクやトナーの未定着に起因する印刷物の汚れを防止することができる。
【発明を実施するための最良の形態】
【００１３】
次に本発明の好適な実施の形態について図面を参照して説明する。
図１は実施形態の印刷システムの機能構成ブロック図である。
印刷システム１００は、大別すると、印刷制御を行うホストコンピュータ１と、ホストコンピュータ１の制御下で実際の印刷処理を行うプリンタ２と、を備え、ホストコンピュータ１と、プリンタ２とは、通信ネットワーク３により接続されている。
【００１４】
ホストコンピュータ１は、印刷に係る各種コマンド等をプリンタ２に実行させるためのユーザーインターフェースを提供するアプリケーション１０１と、アプリケーション１０１により呼び出され、プリンタ２の動作を直接制御するプリンタドライバ１０２と、印刷データやコマンドをプリンタ２へ送信するためのインタフェースとして機能する送受信部１０３と、を備えている。
ここで、ユーザは、アプリケーション１０１上で印刷データの作成や編集、印刷指示を行う。
プリンタドライバ１０２は、アプリケーション１０１での設定等に応じて印刷データを生成する印刷データ生成部１０４と、電源ＯＦＦコマンドを含む各種コマンドを生成するコマンド生成部１０５と、を備えている。
なお、アプリケーション１０１およびプリンタドライバ１０２は、ホストコンピュータ１のＲＯＭに予め格納されたプログラムであり、それぞれの各種機能は、ホストコンピュータ１の制御部（ＣＰＵ）で上記プログラムを読み出し、実行することにより実現される。
【００１５】
一方、プリンタ２は、ホストコンピュータ１から送信された印刷データやコマンド等を受信するためのインタフェースとして機能する送受信部１１１と、送受信部１１１で受信した印刷データが展開された状態で格納されるプリントバッファ１１２と、受信した印刷コマンドに基づいて印刷制御を行う印刷制御部１１３と、印刷制御部１１３の制御下でプリントバッファ１１２に展開された印刷データに基づいて実際の印刷を行う印刷機構部１１４と、を備えている。
ここで、印刷制御部１１３は、プリントバッファ１１２に展開された印刷データを印刷機構２３で印字可能なドットデータに変換する。
印刷機構２３は、印刷制御部１１３により変換されたドットデータに基づいて印字動作を行うものであり、印刷用紙に直接印刷を行うための印刷ヘッド１１５と、この印刷ヘッド１１５を載置したキャリッジ１１６と、を備えている。
【００１６】
次にホストコンピュータ１の具体的構成について説明する。
図２は、ホストコンピュータの概要構成ブロック図である。
ホストコンピュータ１は、パーソナルコンピュータとして構成されており、ホストコンピュータ１全体を制御するＣＰＵ１１と、各種データを一時的に記憶するＲＡＭ１２と、制御プログラムを含む各種データを記憶するＲＯＭ１３と、外部との通信を行う通信インタフェース（Ｉ／Ｆ）１４と、後述するディスプレイ装置１８を制御するためのディスプレイ装置コントローラ１５と、後述するキーボードを制御するためのキーボードコントローラ１６と、後述する外部メモリ２０を制御するためのメモリコントローラ１７と、各種情報を表示するためのディスプレイ装置１８と、ユーザが各種データを入力するためのキーボード１９と、各種データを記憶する外部メモリ２０と、を備えている。さらに各部は、バス２１を介して相互に接続されている。
【００１７】
次にプリンタ２の具体的構成について説明する。
図３は、プリンタの概要構成ブロック図である。
プリンタ２は、インクジェットプリンタとして構成されており、プリンタ２全体を制御するＣＰＵ３１と、各種データを一時的に記憶するＲＡＭ３２と、制御プログラムを含む各種データを記憶するＲＯＭ３３と、外部との通信を行う通信インタフェース（Ｉ／Ｆ）３４と、後述する印刷部３７との間のインタフェース動作を行う印刷部インタフェース（Ｉ／Ｆ）３５と、後述する外部メモリ３９を制御するためのメモリコントローラ３６と、図１に示した印刷ヘッド１１５およびキャリッジ１１６を備え、実際の印刷を行う印刷部３７と、ユーザが各種操作を行うための操作パネル３８と、各種データを記憶する外部メモリ３９と、を備えている。さらに各部は、バス４０を介して相互に接続されている。
【００１８】
図４は、アプリケーションの印刷設定画面の説明図である。
アプリケーション１０１を起動すると、ホストコンピュータ１のディスプレイ装置１８には、図４に示すような、印刷設定画面３０が表示される。
印刷設定画面３０は、印刷出力を行うプリンタの選択および後述するプロパティ設定を行うプリンタ設定表示操作部６１と、印刷範囲の指定を行う印刷範囲指定表示操作部６２と、印刷部数を指定するための印刷部数指定表示操作部６３と、印刷対象を特定するための印刷対象表示操作部６４と、印刷対象をページ制御する（全てのページ、奇数ページのみ、偶数ページのみ）印刷指定表示操作部６５と、拡大印刷／縮小印刷指定を行うための拡大／縮小表示操作部６６と、クリックすることによりプロパティ設定画面を表示させるための「プロパティ」ボタン６７と、操作内容を確定し印刷処理を実行するための「ＯＫ」ボタン６８と、操作内容をキャンセルし、印刷処理の実行をキャンセルするための「キャンセル」ボタン６９と、が配置されている。
印刷設定画面の表示において「プロパティ」ボタン６７を押下すると、プロパティ設定画面が表示される。
【００１９】
ここで、プロパティ設定画面について詳細に説明する。
図５は、プロパティ設定画面の説明図である。
図５は、ＣＤ、ＤＶＤ等のレーベル面に対する印刷処理を実行する場合のプロパティ設定画面の一例を示している。
プロパティ設定画面（基本設定画面）４１は、予め登録した設定を呼び出すための設定呼出表示操作部４２と、プロパティ設定対象を指定するための設定対象表示操作部４３と、記録媒体の供給元を指定するための供給元表示操作部４４と、記録媒体の排紙先（排出先）を指定するための排紙先表示操作部４５と、印刷部数を指定するための印刷部数表示操作部４６と、印刷モード（カラー印刷：フルカラー，ハイカラー，２５６色カラー等、白黒印刷：二値，グレースケール等）を指定するための印刷モード表示操作部４７と、メディアタイプを指定するためのメディアタイプ表示操作部４８と、用紙種類を指定するための用紙種類表示操作部４９と、自動で後述する印刷処理間のインターバル時間を考慮した自動乾燥時間を適用するか否かを指定するための自動乾燥時間適用表示操作部５０と、印刷プレビューを表示するための印刷プレビュー表示部５１と、表示している設定内容を確定するための「ＯＫ」ボタン５２と、表示している設定内容をキャンセルするための「キャンセル」ボタン５３と、を備えている。
【００２０】
この場合において、プロパティ設定画面４１において、各種の印刷設定がなされると、印刷プレビュー表示部５１に設定された印刷設定に基づいた印刷プレビューが表示される。具体的には、メディアタイプ表示操作部４８において「ワイドタイプ」を選択すると、印刷プレビュー表示部５１には、ワイドタイプのメディアの印刷プレビューが表示されることとなる。
また、自動乾燥時間適用表示操作部５０がチェックされた状態となると、後に詳述するが、印刷処理後、印刷に用いたトナーやインク（着色体）などの種類、使用量、記録媒体の種類などを考慮し、その量に準じたインターバル時間だけ、実際の印刷処理を抑止するようにされている。具体的には、インターバル時間だけ印刷データの生成を停止することにより印刷処理を抑止している。
【００２１】
次に、実施形態の動作を説明する。
図６は実施形態の処理フローチャートである。
まず、ホストコンピュータ１のＣＰＵ１１は、アプリケーション１０１から印刷命令を受信し（ステップＳ１０１）、さらに印刷元データを受信すると（ステップＳ１０２）、プリンタドライバ１０２を構成する印刷データ生成部１０４により、一つの印刷タスク（例えば、一文書の印刷）に対応する印刷元データを実際にプリンタ２で印刷するための印刷データに加工する印刷データ加工処理（以下、印刷元データ加工処理という。）が開始されたか否かを判別する（ステップＳ１０３）。
ここで、印刷元データ加工処理について説明する。
図７は、印刷元データ加工処理の説明図である。
印刷元データＰ０は、図７に示すように、ヘッダ情報と１〜Ｎページ目のデータにより構成されている。
そして、印刷元データＰ０は、印刷元データ加工処理において、各ページのデータに印刷ヘッダ情報及び印刷フッタ情報が付加され、ページ毎の印刷データＰＸ１〜ＰＸＮに再構築される。
ステップＳ１０３の判別において、印刷元データ加工処理がいまだ開始されていない場合には（ステップＳ１０３；Ｎｏ）、印刷元データに基づいて使用するであろうインク量を算出する（ステップＳ１１４）。
そして、ステップＳ１４において算出されたインク量を元にインターバルタイムが必要か否かを判断し、必要なら算出されたインク量からインターバルタイムを算出し、決定する（ステップＳ１１５）。
【００２２】
続いて、現在の時刻にステップＳ１１４で決定したインターバルタイムを加算した時刻を次回印字開始可能時刻（ステップＳ１１６）として処理を終了する。
一方、ステップＳ１０３の判別において、印刷元データ加工処理が開始された場合には（ステップＳ１０３；Ｙｅｓ）、現在時刻が印刷処理の次回開始可能時刻を越えているか否かを判別する（ステップＳ１０４）。
ステップＳ１０４の判別において、現在時刻が印刷処理の次回開始可能時刻以下である場合には（ステップＳ１０４；Ｎｏ）、次回開始時刻まで待機（ステップＳ１０５）し、次回開始時刻経過後、処理をステップＳ１０６に移行することとなる。
ステップＳ１０４の判別において、現在時刻が印刷処理の次回開始可能時刻超えた場合には（ステップＳ１０４；Ｙｅｓ）、一つの印刷タスクを構成する１頁分の印刷データ加工処理が開始されたか否かを判別する（ステップＳ１０６）。
【００２３】
ステップＳ１０６の判別において、１頁分の印刷データ加工処理がいまだ開始されていない場合には、処理をステップＳ１１４に移行し、以下、同様の処理を行う。
ステップＳ１０６の判別において、１頁分の印刷データ加工処理が開始された場合には（ステップＳ１０６；Ｙｅｓ）、印刷元データ加工処理が完了したか否かを判別する（ステップＳ１０７）。
ステップＳ１０７の判別において、いまだ印刷元データ加工処理が完了していない場合には、処理をステップＳ１１４に移行し、以下、同様の処理を行う。
ステップＳ１０７の判別において、印刷元データ加工処理が完了した場合には、１頁分の印刷データ加工処理が完了したか否かを判別する（ステップＳ１０８）。
ステップＳ１０８の判別において、いまだ１頁分の印刷データ加工処理が完了していない場合には（ステップＳ１０８；Ｎｏ）、処理をステップＳ１１４に移行し、以下、同様の処理を行う。
ステップＳ１０８の判別において、１頁分の印刷データ加工処理が完了した場合には（ステップＳ１０８；Ｙｅｓ）、１頁分の印刷データに対応する使用インク量を算出する（ステップＳ１０９）。
【００２４】
そして、ステップＳ１０９において算出されたインク量を元にインターバルタイムが必要か否かを判断し、必要なら算出されたインク量からインターバルタイムを算出し、決定する（ステップＳ１１０）。具体的には、記録媒体に対しいわゆるベタ印刷（１００％塗りつぶし状態）を基準とし、１０％塗りつぶし状態に相当するインクが使用されたか否かを判別し、それ以上のインクが使用されている場合には、インターバルタイムが必要として、実際に使用したインク量に比例してインターバルタイムを大きく設定することとなる。
続いて、現在の時刻にステップＳ１１０で決定したインターバルタイムを加算した時刻を次回印字開始可能時刻とする（ステップＳ１１１）。
続いて印刷タスクに対応する全頁分の印刷データ加工処理が完了したか否かを判別する（ステップＳ１１２）。
ステップＳ１１２の判別において、いまだ印刷タスクに対応する全頁分の印刷データ加工処理が完了していない場合には（ステップＳ１１２；Ｎｏ）、処理を再びステップＳ１０４に移行し、以下同様の処理を行う。
【００２５】
また、ステップＳ１１２の判別において、印刷タスクに対応する全頁分の印刷データ加工処理が完了した場合には（ステップＳ１１２；Ｙｅｓ）、印刷元データ加工処理が完了したか否かを判別する（ステップＳ１１３）。
ステップＳ１１３の判別において、いまだ印刷元データ加工処理が完了していない場合には（ステップＳ１１３；Ｎｏ）、処理を再びステップＳ１０４に移行し、以下同様の処理を行う。
ステップＳ１１３の判別において、印刷元データ加工処理が完了した場合には（ステップＳ１１３；Ｙｅｓ）、処理を終了する。
以上の説明のように、本実施形態によれば、インク使用量を考慮してインターバルタイムを設定できるので、確実に色移りを防止し、印刷物同士の汚れを防止することができる。
【００２６】
以上の説明においては、使用インク量のみを考慮していたが、インク種類に応じたインクの性質を加味してインターバルタイムを設定するように構成することも可能である。
具体的には、シアン、マゼンタ、イエロー及びブラックインクを用いた４色印刷のプリンタの場合、例えば、インクの乾きにくさとしてのインク寄与度は以下のように表される。
シアン寄与度    ＝２０％
マゼンダ寄与度  ＝１０％
イエロー寄与度  ＝５％
ブラック寄与度  ＝５％
【００２７】
すなわち、インク寄与度は値が大きいほど乾きにくく、同一量のインクで印刷を行った場合、シアンが最も乾きにくく、色移りがしやすく、次にマゼンタが乾きにくく、イエローとブラックは乾きやすく、色移りもしにくくなっている。
例えば、記録媒体であるカットシートの１頁を各色でベタ印刷する場合に、１頁あたりインクが１０００ショット（１０００滴）必要であり、１ショットあたりのインク量が全てのインクで一定であるとすると、実際の印刷物が１ページ中、シアンが２０％、マゼンタが１０％、イエローが２％、ブラックが５％であったとすると、各インクの使用量は、以下のように算出できる。
シアン量    ＝２０％×１０００＝２００（ショット相当）
マゼンタ量  ＝１０％×１０００＝１００（ショット相当）
イエロー量  ＝２％×１０００＝２０（ショット相当）
ブラック量  ＝５％×１０００＝５０（ショット相当）
【００２８】
ところで、本例のように１０％塗りつぶし状態に相当するインクが使用された場合にインターバルタイムが必要であるとすると、各インクの寄与度を考慮した場合、所定の乾燥条件（温度および湿度）の下では、インク毎にショット数×寄与率を実効インク量として算出した場合、全インクの実効インク量の合計が３７を超えるとインターバルタイムが必要となることが実験的に求められた。
このような条件下で、印刷元データに基づく印刷データが、シアンインクのみ２００ショットするものであった場合、実効インク量は以下のように算出される。
シアン実効インク量    ＝２０％×２００＝４０
マゼンタ実効インク量  ＝１０％×０＝０
イエロー実効インク量  ＝２％×０＝０
ブラック実効インク量  ＝５％×０＝０
【００２９】
したがって、
全インクの実効インク量の合計＝４０＋０＋０＋０
＝４０
となり、実効インク量の合計が基準値である３７を超えているので、インターバルタイムを必要とすることがわかる。すなわち、シアンインクは、乾きにくいので少ない量でもインターバルタイムを用いて乾燥時間を確保する必要があるということがわかる。
同様に印刷元データに基づく印刷データが、イエローインクのみ１０００ショットするものであった場合、実効インク量は以下のように算出される。
シアン実効インク量    ＝  ２０％×０＝０
マゼンタ実効インク量  ＝  １０％×０＝０
イエロー実効インク量  ＝  ２％×１０００＝２０
ブラック実効インク量  ＝  ５％×０＝０
【００３０】
したがって、
全インクの実効インク量の合計＝０＋０＋２０＋０
＝２０
となり、実効インク量の合計が基準値である３７未満であるので、インターバルタイムを設ける必要がないことがわかる。すなわち、イエローインクは、乾きやすいので、シアンインクの５倍以上使用した場合でも、いまだインターバルタイムを用いて乾燥時間を確保する必要がないということがわかる。
【００３１】
以上の説明のように、本変形例によれば、インク使用量ばかりでなく、各インクの特性（特に乾きやすさ）も考慮してインターバルタイムを設定できるので、確実に色移りを防止し、印刷物同士の汚れを防止することができる。
【００３２】
以上の説明においては、詳細に述べなかったが、着色体であるインクあるいはトナーの単位面積あたりの使用量に応じてインターバル時間を設定するようにすれば同様の効果を得ることができる。
以上の説明においては、インク使用量およびインク特性（特に乾きやすさ）を考慮してインターバルタイムを設定するようにしていたが、記録媒体毎のインクの定着性も考慮してインターバルタイムを設定するように構成することも可能である。これによれば、より確実に印刷物同士の汚れを防止することができる。
以上の説明においては、着色体としてインクを用いる場合についてのみ説明したが、トナー（カラートナーも含む）であっても同様に適用が可能である。
【００３３】
また、以上の説明においては、プリンタ２のようにホストコンピュータ１に接続される態様に限らず、ホストコンピュータ１としての機能を備えた特定の装置に内蔵され、或いは組み込まれた印刷装置に対しても適用可能である。
また、プリンタ２は、ハードウェアとソフトウェアとの協働により図１に示す各機能部を実現するものであって、具体的なハードウェアの実装形態やソフトウェアの仕様等は任意である。その他のプリンタ２の具体的な細部構成についても任意に変更可能である。
【図面の簡単な説明】
【００３４】
【図１】実施形態の印刷システムの機能構成ブロック図である。
【図２】ホストコンピュータの概要構成ブロック図である。
【図３】プリンタの概要構成ブロック図である。
【図４】アプリケーションの印刷設定画面の説明図である。
【図５】プロパティ設定画面の説明図である。
【図６】実施形態の処理フローチャートである。
【図７】印刷元データ加工処理の説明図である。
【符号の説明】
【００３５】
１…ホストコンピュータ、２…プリンタ、３…通信ネットワーク、１１…ＣＰＵ、１２…ＲＡＭ、１３…ＲＯＭ、１５…ディスプレイ装置コントローラ、１６…キーボードコントローラ、１７…メモリコントローラ、１８…ディスプレイ装置、１９…キーボード、２０…外部メモリ、２１…バス、２３…印刷機構、２９…外部メモリ、３０…印刷設定画面、３１…ＣＰＵ、３２…ＲＡＭ、３３…ＲＯＭ、３４…印刷対象表示操作部、３５…印刷指定表示操作部、３６…メモリコントローラ、３７…印刷部、３８…操作パネル、３９…外部メモリ、４０…バス、４１…プロパティ設定画面、４２…設定呼出表示操作部、４３…設定対象表示操作部、４４…供給元表示操作部、４５…排紙先表示操作部、４６…印刷部数表示操作部、４７…印刷モード表示操作部、４８…メディアタイプ表示操作部、４９…用紙種類表示操作部、５０…自動乾燥時間適用表示操作部、５１…印刷プレビュー表示部、６１…プリンタ設定表示操作部、６２…印刷範囲指定表示操作部、６３…印刷部数指定表示操作部、６６…縮小表示操作部、１００…印刷システム、１０１…アプリケーション、１０２…プリンタドライバ、１０３…送受信部、１０４…印刷データ生成部、１０５…コマンド生成部、１１１…送受信部、１１２…プリントバッファ、１１３…印刷制御部、１１４…印刷機構部、１１５…印刷ヘッド、１１６…キャリッジ、Ｐ０…印刷元データ、ＰＸ…印刷データ。
【図１】
2009066796.tif 000003
【図２】
2009066796.tif 000004
【図３】
2009066796.tif 000005
【図４】
2009066796.tif 000006
【図５】
2009066796.tif 000007
【図６】
2009066796.tif 000008
【図７】
2009066796.tif 000009